(57)【要約】      （修正有）【課題】操作が便利、かつ磁石を使って、効果をアップさせるマッサージローラーの構造を提供する。【解決手段】ハンドル２及び二つのローラー３で構成するマッサージローラーであって、該ハンドルは握り部２１及びその一端に球状ヘッド２２を具有する。二つのローラー３，３はハンドルの軸を中心に、それぞれ該ハンドルの両側から角度を付けて展開して該球状ヘッドに接続されて各ローラーの一部が回転できる構造とし、ローラー外周面に磁石３６を埋め込んで操作しやすく、同時にマッサージの効果を向上する。【選択図】図１
0003166202.tif 000002
【実用新案登録請求の範囲】
【請求項１】
ハンドル及び二つのローラーを具え、
ハンドルは握り部及び球状ヘッドを具有し、該球状ヘッドを該握り部の一端に設置し、及び、
二つのローラーはハンドルの軸を中心に、それぞれ該ハンドルの両側から展開して角度を付けて該球状ヘッドに接続し、且つ各ローラーの一部は回転できる構造としたことを特徴とするマッサージローラーの構造。
【請求項２】
前記ローラーは、更に接続部品、内柱、二つのベアリング、軸受及び外カバーを具有し、各ローラーの接続部品は、前記球状ヘッドを通じて両側から互いに嵌合して固定し、かつ、
該接続部品は、前記ハンドルの軸を中心にそれぞれハンドルの両側から展開して角度を付けて固定され、
二つのベアリングは、それぞれ該軸受の両端に設置されて、該二つのベアリングと該軸受は同時に該接続部品の外側に套設し、
該内柱は、該二つのベアリングと該軸受の外側に套設し、該外カバーは該内柱と套設して、該二つのベアリングと該外カバー及び該内柱は回転可能の構造としたことを特徴とする請求項１記載のマッサージローラーの構造。
【請求項３】
前記ローラーの外カバーの表面に複数の磁石を嵌め込んだことを特徴とする請求項２記載のマッサージローラーの構造。
【請求項４】
前記角度は鋭角であることを特徴とする請求項１記載のマッサージローラーの構造。
【考案の詳細な説明】
【技術分野】
【０００１】
本考案は、マッサージローラーの構造に関し、特にＹ字形のマッサージローラーの構造に関する。
【背景技術】
【０００２】
中国医学では既に人体に分布し、各器官を反映するツボの存在を証明している。手や道具を使って人体にあるツボを押す、或いは人体の器官が痛みを感じる部分に対応するツボを押すことで、強く健康的な体を作り、美容や保健の目的に達するため、頻繁にツボマッサージをするのは、血液循環を促進し、新陳代謝を速め、元気を回復し、疲れを取り、ストレスを軽くする、ダイエットできるなど、素晴らしい効果をもたらす。
【０００３】
しかし、指や道具を使って人体のツボを押すのは、時間も力も必要で、特に年配の方にとって、大変不便であり、背中などのツボを押す際は、他人の力を借りなければならない。それを鑑みてツボを敲くボールや、ツボ押し棒に指圧ボールなどを案出しているが、使用する機能が単一であり、理想的で有効的なマッサージ効果が得られないため、更なる改善が必要であった。
【先行技術文献】
【特許文献】
【０００４】
【特許文献１】特開２０００−１７５９８４号公報
【考案の概要】
【考案が解決しようとする課題】
【０００５】
前記公知構造の欠点を解決するため、本考案は操作が便利、且つ磁石を使って、効果をアップさせるマッサージローラーの構造を提供することを主な課題とする。
【課題を解決するための手段】
【０００６】
前記課題を解決するために、本考案はマッサージローラーの構造を提供する。それに含まれるのはハンドル、及び二つのローラーであり、該ハンドルは握り部及び球状ヘッドを具有し、該球状ヘッドを該握り部の一端に設置する。該二つのローラーはハンドルの軸を中心に、それぞれ該ハンドルの両側からある角度で開いて該球状ヘッドに接続し、且つ各ローラーの一部は回転できる構造である。
【０００７】
最良実施例として、各ローラーは接続部品、内柱、二つのベアリング、軸受及び、外カバーを具有し、各ローラー３の接続部品３１は球状ヘッド２２を通じて互いに嵌合して固定する。また、接続部品３１はハンドル２の軸を中心とするある角度に開いて、該二つのベアリング３３をそれぞれ軸受３４の両端に設置し、且つ二つのベアリング３３と軸受３４を同時に接続部品３１の外側に套設する。該内柱３２をしっかりと二つのベアリング３３及び軸受３４の外側に套設し、外カバー３５の中に、しっかりと内柱３２を嵌合することで、二つのベアリング３３、外カバー３５及び内柱３２が回転可能の構造となる。該ローラーの外カバーの表面に若干の磁石を嵌め込む。  
【考案の効果】
【０００８】
本考案は、ローラーとハンドルを設置し、ローラーをＹ字形のように、二つのローラーはハンドルの軸を中心に鋭角で開いて該球状ヘッドに接続し、各ローラーの一部は回転できる構造とするほか、磁石をローラーの表面に嵌め込むことで、操作しやすく、同時にマッサージの効果をアップする。
【図面の簡単な説明】
【０００９】
【図１】本考案におけるマッサージローラーの立体図である。
【図２】本考案におけるマッサージローラーの分解図である。
【図３】本考案におけるマッサージローラーのハンドルの断面図である。
【図４】本考案におけるマッサージローラーのローラー断面図である。
【図５】本考案におけるマッサージローラーの作動図である。
【考案を実施するための形態】
【実施例】
【００１０】
本考案によるマッサージローラーの構造を明確に示すために図に沿って詳細な説明を行う。
【００１１】
図１から図５に示すのは、図１は本考案におけるマッサージローラーの立体図である。図２は、本考案におけるマッサージローラーの分解図である。図３は、本考案におけるマッサージローラーのハンドルの断面図である。図４は、本考案におけるマッサージローラーのローラー断面図である。図５は、本考案におけるマッサージローラーの操作図である。
【００１２】
本実施例のマッサージローラー１は、ハンドル２及び二つのローラー３を有する。
【００１３】
ハンドル２は、握り部２１及び球状ヘッド２２を具有し、球状ヘッド２２を握り部２１の一端に設置する。
【００１４】
二つのローラー３は、ハンドル２の軸を中心に、ハンドル２の両側に角度θで展開して球状ヘッド２２に接続し、各ローラー３の一部は回転可能の構造である。つまり、各ローラー３は接続部品３１、内柱３２、二つのベアリング３３、軸受３４及び外カバー３５を具有する。各ローラー３の接続部品３１は球状ヘッド２２を通じて互いに嵌合して固定する。また、接続部品３１はハンドル２の軸を中心とする角度θに開いて、二つのベアリング３３をそれぞれ軸受３４の両端に設置し、且つ二つのベアリング３３と軸受３４を同時に接続部品３１の外側に套設し、内柱３２をしっかりと二つのベアリング３３及び軸受３４の外側に套設し、外カバー３５の中に、しっかりと内柱３２を嵌合することで、ベアリング３３、外カバー３５及び内柱３２が前記の回転可能の構造となる。
【００１５】
更に、外カバー３５の外側表面に若干の磁石３６を嵌め込み、マッサージの効果を高める。また、角度θが鋭角であるため、マッサージを行いやすい。
【００１６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１７】
１  マッサージローラー
２  ハンドル
２１  握り部
２２  球状ヘッド
３  ローラー
３１  接続部品
３２  内柱
３３  ベアリング
３４  軸受
３５  外側カバー
３６  磁石
θ  角度
【図１】
0003166202.tif 000003
【図２】
0003166202.tif 000004
【図３】
0003166202.tif 000005
【図４】
0003166202.tif 000006
【図５】
0003166202.tif 000007